(57)【要約】【課題】入力されるコンテンツによらず、出力される平均の音量を一定に保つことのできる音声信号処理装置を提供する。【解決手段】本発明に係る音声信号処理装置１は、入力レベルを逐次検出する入力レベル検出部１２と、音声信号を増幅又は減衰するゲインコントロールユニット１４と、ゲインコントロールユニット１４の入出力特性を、入力レベル検出部１２によって逐次検出された入力レベルの時系列から算出される平均または分散に応じて設定するマイコン１３とを備えている【選択図】図１
2011135218.tif 000002
【特許請求の範囲】
【請求項１】
音声信号を増幅する増減手段と、
上記音声信号の信号レベルを逐次検出する検出手段と、
上記検出手段によって逐次検出された上記信号レベルの時系列の平均および分散の少なくとも何れかを算出すると共に、上記増減手段の入出力特性を上記平均および分散の少なくとも何れかに応じて設定する設定手段と、を備えている、
ことを特徴とする音声信号処理装置。
【請求項２】
上記設定手段は、上記増減手段の入出力特性のうち、上記音声信号の信号レベルが閾値よりも小さいときのゲインである第１のゲインを、上記平均に応じて設定する、
ことを特徴とする請求項１に記載の音声信号処理装置。
【請求項３】
上記設定手段は、上記増減手段の入出力特性のうち、上記音声信号の信号レベルが閾値よりも大きいときのゲインである第２のゲインを、上記分散に応じて設定する、
ことを特徴とする請求項１又は２に記載の音声信号処理装置。
【請求項４】
上記設定手段は、上記増減手段の入出力特性を、上記音声信号を含むコンテンツの属性に応じて補正する、
ことを特徴とする請求項１から３までの何れか１項に記載の音声信号処理装置。
【請求項５】
上記設定手段は、上記増減手段の入出力特性を、現在時刻に応じて補正する、
ことを特徴とする請求項１から４までの何れか１項に記載の音声信号処理装置。
【請求項６】
増減手段を用いて音声信号を増幅する増幅工程と、
上記音声信号の信号レベルを逐次検出する検出工程と、
上記検出工程にて逐次検出された上記信号レベルの時系列の平均および分散の少なくとも何れかを算出すると共に、上記増減手段の入出力特性を上記平均および分散の少なくとも何れかに応じて設定する設定工程と、を含んでいる、
ことを特徴とする音声信号処理方法。
【請求項７】
コンピュータを請求項１から５までの何れか１項に記載の音声信号処理装置が備えている設定手段として動作させるためのプログラムであって、上記コンピュータを上記設定手段として機能させるためのプログラム。
【請求項８】
請求項７に記載のプログラムを記録したコンピュータ読み取り可能な記録媒体。
【発明の詳細な説明】
【技術分野】
【０００１】
本発明は、音声信号を処理する音声信号処理装置、及び、音声信号処理方法に関する。
【背景技術】
【０００２】
近年、デジタル放送の普及により、テレビジョン受像機（以下「テレビ」と略記する）が受信可能なチャンネル数が増加してきている。また、ＤＶＤプレイヤ／レコーダやＢＤプレイヤ／レコーダなどテレビに接続される外部機器数も増加してきている。すなわち、放送局から、あるいは、外部機器からテレビに提供されるコンテンツは、多種多様であり、音量の大きなコンテンツもあれば、音量の小さなコンテンツもある。
【０００３】
このため、入力ソースを切り替えるると、テレビの出力レベル（スピーカから出力される音波の音圧レベル）が大きく変動することがある。この場合、視聴者は、音量が大きすぎる状態、あるいは、音量が小さすぎる状態でコンテンツを視聴することになる。また、これを避けようと思えば、手動でボリューム操作を行なう必要が生じる。
【０００４】
このような問題に対しては、例えば、特許文献１〜２に示すような技術が開示されている。
【０００５】
特許文献１には、第１の音声信号がアンプに入力されている間に出力レベルを大きくする方向のボリューム操作がなされると、ボリューム操作に連動して第２の音声信号のダイナミックレンジを圧縮する技術が開示されている。これにより、アンプの入力を第２の音声信号に切り替えた際に、アンプの出力レベルが過大になることを防止することができる。
【０００６】
また、特許文献２には、平均信号レベルが規定された第１の音声信号の信号レベルを参照して、第２の音声信号を増幅する際のゲインを調整することが記載されている。
【先行技術文献】
【特許文献】
【０００７】
【特許文献１】特開２０００−１０１３７５号公報（平成１２年４月７日公開）
【特許文献２】特開２００７−２１４６７８号公報（平成１９年８月２３日公開）
【発明の概要】
【発明が解決しようとする課題】
【０００８】
しかしながら、特許文献１に記載されている技術は、入力ソースを切り替える前に行なわれたボリューム操作の影響をキャンセルするためのものであり、入力される音声信号の平均信号レベルの違いに起因する入力切替時の出力レベルの変動を防止するものではない。また、同一チャンネルを介して供給されるコンテンツが切り替わった場合（例えば番組からＣＭに切り替わった場合）に生じる出力レベルの変動を防止することはできない。
【０００９】
また、特許文献２に記載されている技術は、平均信号レベルが規定された音声信号の存在を前提とするものであり、そのような音声信号が存在しない環境では使用することができない。
【００１０】
本発明は上記問題に鑑みてなされたものであり、その主たる目的は、入力する音声信号を切り替える際に生じる出力レベルの変動を緩和し、入力する音声信号を切り替えるたびにリスナが手動でボリューム操作を行なう必要のない音声信号処理装置を実現することにある。
【課題を解決するための手段】
【００１１】
上記課題を解決するために、本発明に係る音声信号処理装置は、音声信号を増幅又は減衰する増減手段と、上記音声信号の信号レベルを逐次検出する検出手段と、上記検出手段によって逐次検出された上記信号レベルの時系列の平均および分散の少なくとも何れかを算出すると共に、上記増減手段の入出力特性を上記平均および分散の少なくとも何れかに応じて設定する設定手段と、を備えている、ことを特徴とする。
【００１２】
上記の構成によれば、入力レベル（増減手段に入力される音声信号の信号レベル）の平均または分散が変化することによって生じる出力レベル（増減手段から出力される音声信号の信号レベル）の変化を、増減手段の入出力特性を変化させることによって緩和することができる。例えば、平均入力レベルの上昇によって生じる平均出力レベルの上昇や、入力レベルのばらつきの増大によって生じる出力レベルのばらつきの増大を、増減手段の入出力特性を変化させることによって緩和することができる。これにより、入力ソースを切り替えるたびにボリュームを操作する煩わしさからユーザを解放することができる。
【００１３】
本発明に係る音声信号処理装置において、上記設定手段は、上記増減手段の入出力特性のうち、上記音声信号の信号レベルが閾値よりも小さいときのゲインである第１のゲインを、上記平均に応じて設定する、ことが好ましい。
【００１４】
上記の構成によれば、上記入出力特性を、平均入力レベル（上記音声信号の信号レベルの時系列の平均値）に応じて設定することができる。例えば、平均入力レベルが小さい場合には、上記第１のゲインを大きく設定し、平均入力レベルが大きい場合には、上記第１のゲインを小さく設定することができる。これによって、平均入力レベルが変化した際に生じる平均出力レベルの変化を緩和することができる。
【００１５】
本発明に係る音声信号処理装置において、上記設定手段は、上記増減手段の入出力特性のうち、上記音声信号の信号レベルが閾値よりも大きいときのゲインである第２のゲインを上記分散に応じて設定する、ことが好ましい。
【００１６】
上記の構成によれば、上記入出力特性を、入力レベルのばらつきに応じて設定することができる。例えば、ばらつきが小さい場合には、第２のゲインを大きく設定し、ばらつきが大きい場合には、第２のゲインを小さく設定することができる。これによって、入力レベルのばらつきが変化した際に生じる平均出力レベルのばらつきの変化を緩和することができる。
【００１７】
本発明に係る音声信号処理装置において、上記設定手段は、上記増減手段の入出力特性を、上記音声信号を含むコンテンツの属性に応じて補正する、ことが好ましい。
【００１８】
上記の構成によれば、上記増減手段の入出力特性を、上記音声信号を含むコンテンツがどのようなコンテンツであるかを加味した設定とすることができる。
【００１９】
本発明に係る音声信号処理装置において、上記設定手段は、上記増減手段の入出力特性を、現在時刻に応じて補正する、ことが好ましい。
【００２０】
上記の構成によれば、上記増減手段の入出力特性を、現在時刻を加味した設定とすることができる。例えば、現在時刻が昼間に属しているか、夜間に属しているかに応じた設定とすることができる。
【００２１】
上記課題を解決するために、本発明に係る音声信号処理方法は、増減手段を用いて音声信号を増幅又は減衰する増減工程と、上記音声信号の信号レベルを逐次検出する検出工程と、上記検出工程にて逐次検出された上記信号レベルの時系列の平均および分散の少なくとも何れかを算出すると共に、上記増減手段の入出力特性を上記平均および分散の少なくとも何れかに応じて設定する設定工程と、を含んでいる、ことを特徴としている。
【００２２】
上記の構成によれば、上記音声信号処理装置と同様の効果を奏する。
【００２３】
なお、本発明に係る音声信号処理装置が備えている設定手段は、コンピュータによって実現してもよい。この場合、コンピュータを上記設定手段として動作させることにより、上記設定手段をコンピュータにおいて実現するプログラム、および、そのプログラムを記録したコンピュータ読み取り可能な記録媒体も、本発明の範疇に入る。
【発明の効果】
【００２４】
本発明に係る音声信号処理装置は、以上のように、音声信号を増幅する増減手段と、上記音声信号の信号レベルを逐次検出する検出手段と、上記検出手段によって逐次検出された上記信号レベルの時系列の平均および分散の少なくとも何れかを算出すると共に、上記増減手段の入出力特性を上記平均および分散の少なくとも何れかに応じて設定する設定手段と、を備えている。
【００２５】
また、本発明に係る音声信号処理方法は、以上のように、増減手段を用いて音声信号を増幅又は減衰する増減工程と、上記音声信号の信号レベルを逐次検出する検出工程と、上記検出工程にて逐次検出された上記信号レベルの時系列の平均および分散の少なくとも何れかを算出すると共に、上記増減手段の入出力特性を上記平均および分散の少なくとも何れかに応じて設定する設定工程と、を含んでいる。
【００２６】
これにより、入力レベル（増減手段に入力される音声信号の信号レベル）の平均または分散が変化することによって生じる出力レベル（増減手段から出力される音声信号の信号レベル）の変化を、増減手段の入出力特性を変化させることによって緩和することができる。
【図面の簡単な説明】
【００２７】
【図１】本発明の実施形態に係る音声信号処理装置の構成を示すブロック図である。
【図２】本発明の実施形態に係る音声信号処理装置が備えるゲインコントロールユニットの入出力特性を示したグラフである。（ａ）は、平均入力レベルが小さい場合の入出力特性を示し、（ｂ）は、平均入力レベルが大きい場合の入出力特性を示す。
【図３】本発明の実施形態に係る音声信号処理装置が備えるゲインコントロールユニットの他の入出力特性を示したグラフである。（ａ）は、入力レベルのばらつきが小さい場合の入出力特性を示し、（ｂ）は、入力レベルのばらつきが大きい場合の入出力特性を示す。
【図４】本発明の実施形態に係る音声信号処理装置が備えるゲインコントロールユニットの入出力特性を示したグラフである。（ａ）において、実線は、入力レベルのばらつきが大きく、平均入力レベルが小さい場合の入出力特性を示し、点線は、入力レベルのばらつきが小さく、平均入力レベルが小さい場合の入出力特性を示す。（ｂ）において、実線は、入力レベルのばらつきが大きく、平均入力レベルが大きい場合の入出力特性を示し、点線は、入力レベルのばらつきが小さく、平均入力レベルが大きい場合の入出力特性を示す。
【図５】本発明の実施形態に係る音声信号処理装置が備えるゲインコントロールユニットの入出力特性を示した図である。（ａ）において、点線は、平均入力レベルが小さく、時刻が昼間である場合の入出力特性を示し、実線は、平均入力レベルが小さく、視聴時間帯が夜間である場合の入出力特性を示す。（ｂ）において、点線は、平均入力レベルが大きく、時刻が昼間である場合の入出力特性を示し、実線は、平均入力レベルが大きく、時刻が夜間である場合の入出力特性を示す。
【発明を実施するための形態】
【００２８】
〔音声信号処理装置の構成〕
本実施形態に係る音声信号処理装置の構成について、図１を参照して説明する。図１は、本実施形態に係る音声信号処理装置１の構成を示すブロック図である。音声信号処理装置１は、テレビ（テレビジョン受像機）に内蔵される音声信号装置であり、図１に示すように、入力スイッチ１１、入力レベル検出部１２（検出手段）、マイコン１３（設定手段）、ゲインコントロールユニット１４（増減手段）、音質制御部１５、音量制御部１６、及び、アンプ１７を備えている。音声信号処理装置１により処理された音声信号は、図１に示すように、例えば、テレビが備えるスピーカ１８に供給される。
【００２９】
音声信号処理装置１には、複数の音声信号が入力される。音声信号処理装置１に入力される音声信号として、図１においては、アナログチャンネル音声信号２１、デジタルチャンネル音声信号２２、外部入力音声信号２３、ＨＤＭＩ音声信号２４、及び、その他入力音声信号２５を例示している。その他入力音声信号２５としては、例えば、ネットワークを介して取得した音声信号や、外部メモリから読み出した音声信号などが挙げられる。
【００３０】
（入力スイッチ１１）
入力スイッチ１１は、ユーザの指示に応じて入力ソースを選択するための手段である。音声信号処理装置１に入力される音声信号２１〜２５のうち、入力スイッチによって入力ソースとして選択された音声信号が入力レベル検出部１２及びゲインコントロールユニット１４に供給される。
【００３１】
（入力レベル検出部１２）
入力レベル検出部１２は、入力スイッチ１１から供給された音声信号のレベルを逐次検出するための手段である。入力レベル検出部１２にて逐次検出された信号レベルは、マイコン１３に供給される。
【００３２】
（マイコン１３）
マイコン１３は、入力レベル検出部１２によって逐次検出された信号レベルの時系列の平均および分散の少なくとも何れかを算出するための手段である。より具体的に言うと、マイコン１３は、入力スイッチ１１が入力ソースを切り替えた時点から、予め定められた時間（例えば１０秒間）が経過するまでの間、入力レベル検出部１２によって逐次検出された新たな入力ソースの信号レベルをメモリ（マイコン１３に内蔵された不図示のメモリ）に蓄積した後、メモリに蓄積された信号レベルの時系列を参照して、その平均および分散の少なくとも何れかを算出する。そして、マイコン１３は、算出した平均および分散の少なくとも何れかに応じて、ゲインコントロールユニット１４の入出力特性を設定する。なお、マイコンによって設定される、ゲインコントロールユニット１４の入出力特性の具体例については、参照する図面を代えて後述する。
【００３３】
また、マイコン１３は、ユーザが指定した音質設定の内容を示す音質設定情報を音質制御部１５に提供する。ここで、音質設定とは、入力ソースのどの周波数帯域をどのくらい増幅するのか、および／または、入力ソースのどの周波数帯域をどのくらい減衰するのかに関する設定のことを指す。なお、ユーザが指定した音質設定の内容は、マイコン１３に内蔵されたメモリに記憶されており、マイコン１３は、ユーザが音質設定の内容を変更するたびに、このメモリに記憶された音質設定を新たな内容に更新する。
【００３４】
また、マイコン１３は、ユーザが指定した音量設定の内容を示す音量設定情報を音量制御部１６に提供する。ここで、音量設定とは、入力ソースをどのくらい増幅するのか、または、入力ソースをどのくらい減衰するのかに関する設定のことを指す。なお、ユーザが指定した音量設定の内容は、マイコン１３に内蔵されたメモリに記憶されており、マイコン１３は、ユーザが音量設定の内容を変更するたびに、このメモリに記憶された音量設定を新たな内容に更新する。
【００３５】
（ゲインコントロールユニット１４）
ゲインコントロールユニット１４は、入力スイッチ１１から供給された音声信号を増幅又は減衰するための手段である。ゲインコントロールユニット１４は、音声信号の信号レベルが閾値よりも小さいときのゲインである第１のゲインと、音声信号の信号レベルが閾値よりも大きいときのゲインである第２のゲインと、この閾値とを外部（マイコン１３）から制御することができる。ゲインコントロールユニット１４においてレベルを調整された音声信号は、後段の音質制御部１５に供給される。
【００３６】
（音質制御部１５、音量制御部１６）
音質制御部１５は、ゲインコントロールユニット１４から供給される音声信号の音質を調整するための手段である。より具体的に言うと、音質制御部１５は、マイコン１３から供給される音質設定情報に基づいて、ゲインコントロールユニット１４から供給される音声信号の音質を調整する。音質制御部１５において音質を調整された音声信号は、後段の音量制御部１６に供給される。
【００３７】
音量制御部１６は、音質制御部１５から供給された音声信号の音量を調整するための手段である。より具体的に言うと、音量制御部１６は、マイコン１３から供給される音量設定情報に基づいて、音質制御部１５から供給される音声信号の音量を調整する。音量制御部１６において調整された音声信号は、後段のアンプ１７に供給される。
【００３８】
（アンプ１７、スピーカ１８）
アンプ１７は音量制御部１６から入力された音声信号を増幅し、増幅された音声信号をスピーカ１８に出力するための手段である。スピーカ１８は、アンプ１７から入力された音声信号を音波に変換して出力する。
【００３９】
＜実施例１＞
入力レベル検出部１２にて逐次検出された信号レベルの時系列の平均（以下「平均入力レベル」と呼称する）に基づいて、ゲインコントロールユニット１４の入出力特性の制御する実施例について、図２を参照して説明する。図２は、ゲインコントロールユニット１４の入出力特性を示したグラフである。
【００４０】
平均入力レベルが予め定められた基準レベルよりも小さい場合、マイコン１３は、ゲインコントロールユニット１４の入出力特性を図２（ａ）に示すように設定する。すなわち、入力スイッチ１１から供給される音声信号の信号レベルが閾値よりも小さいときのゲインである第１のゲインを０ｄＢよりも大きく設定する。これによって、閾値よりも信号レベルの小さい音声信号がゲインコントロールユニット１４により増幅される。
【００４１】
一方、平均入力レベルが予め定められた基準レベルよりも大きい場合、マイコン１３は、ゲインコントロールユニット１４の入出力特性を図２（ｂ）に示すように設定する。すなわち、入力スイッチ１１から供給される音声信号の信号レベルが閾値よりも小さいときのゲインである第１のゲインを０ｄＢよりも小さく設定する。これによって、閾値よりも信号レベルの小さい音声信号がゲインコントロールユニット１４により減衰される。
【００４２】
これにより、入力ソースの切り替えに伴う出力レベルの変動を緩和することができる。
【００４３】
なお、マイコン１３は、入力スイッチ１１から供給される音声信号の信号レベルが閾値よりも大きいときのゲインである第２のゲインを０ｄＢよりも小さく設定することによって、出力レベルのダイナミックレンジを狭める。これは、アンプ１７におけるクリッピングの発生等を防止するためである。
【００４４】
＜実施例２＞
次に、入力レベル検出部１２にて逐次検出された信号レベルの時系列の分散（以下「入力レベルのばらつき」と呼称する）に基づいてゲインコントロールユニット１４の入出力特性を制御する実施例について、図３を参照して説明する。図３は、ゲインコントロールユニット１４の入出力特性を示したグラフである。
【００４５】
入力レベルのばらつきが予め定められた基準値よりも小さい場合、マイコン１３は、ゲインコントロールユニット１４の入出力特性を図３（ａ）に示すように設定する。また、入力レベルのばらつきが予め定められた基準値よりも大きい場合、マイコン１３は、ゲインコントロールユニット１４の入出力特性を図３（ｂ）に示すように設定する。
【００４６】
ここで注目すべきは、入力スイッチ１１から供給される音声信号の信号レベルが閾値よりも大きいときのゲインである第２のゲインを、入力レベルのばらつきに応じて設定している点である。すなわち、入力レベルのばらつきが大きいときの第２のゲインを、入力レベルのばらつきが小さいときの第２のゲインよりも小さく設定している点である。
【００４７】
これにより、入力ソースの切り替えに伴う出力レベルのダイナミックレンジの変動を緩和することができる。
【００４８】
＜実施例３＞
次に、平均入力レベル、及び、入力レベルのばらつきに基づいてゲインコントロールユニット１４の入出力特性を制御する実施例について、図４を参照して説明する。図４は、ゲインコントロールユニット１４の入出力特性を示したグラフである。
【００４９】
平均入力レベルが予め定められた基準レベルよりも小さい場合、マイコン１３は、入力レベルのばらつきが基準値よりも大きければ、ゲインコントロールユニット１４の入出力特性を図４（ａ）に実線で示すように設定し、入力レベルのばらつきが基準値よりも小さければ、ゲインコントロールユニット１４の入出力特性を図４（ａ）に点線で示すように設定する。
【００５０】
一方、平均入力レベルが予め定められた基準レベルよりも大きい場合、マイコン１３は、入力レベルのばらつきが基準値よりも大きければ、ゲインコントロールユニット１４の入出力特性を図４（ｂ）に実線で示すように設定し、入力レベルのばらつきが基準値よりも小さければ、ゲインコントロールユニット１４の入出力特性を図４（ｂ）に点線で示すように設定する。
【００５１】
すなわち、入力スイッチ１１から供給される音声信号の信号レベルが閾値よりも小さいときのゲインである第１のゲインは、平均入力レベルが基準レベルよりも大きい場合に０ｄＢよりも小さく設定され、平均入力レベルが基準レベルよりも小さい場合に０ｄＢよりも大きく設定される。また、入力スイッチ１１から供給される音声信号の信号レベルが閾値よりも大きいときのゲインである第２のゲインは、入力レベルのばらつきが大きい場合に小さく設定され、入力レベルのばらつきが小さい場合に大きく設定される。
【００５２】
したがって、入力ソースの切り替えに伴う出力レベルの変動と出力レベルのダイナミックレンジの変動とを同時に緩和することができる。
【００５３】
なお、本実施例においては、平均入力レベルと入力レベルのばらつきとの組み合わせ基づいて第２のゲインの大きさ決定する構成について説明したが、これに限定されるものではない。例えば、平均入力レベルとコンテンツの属性との組み合わせを用いて入出力特性を設定する構成を採用してもよい。ここで、コンテンツの属性としては、例えば、放送局から配信されたコンテンツの、ＥＰＧ（電子番組表）から特定される属性や、ＨＤＭＩ機器から供給されるコンテンツの、ＣＥＣ／Ｖｅｎｄｅｒパケットから特定される属性などが挙げられる。
【００５４】
この場合、入力スイッチ１１から供給される音声信号の信号レベルが閾値よりも大きいときのゲインである第２のゲインは、再生中のコンテンツが臨場感の必要なコンテンツの場合に大きく設定され、そうでないコンテンツの場合に小さく設定される。ここで、臨場感が必要なコンテンツとしては、映画やスポーツ番組などを挙げることができる。また、臨場感が必要でないコンテンツとしては、ニュース番組などを挙げることができる。
【００５５】
このような構成を採用することにより、例えば、映画をダイナミックレンジの広い臨場感溢れる音声と共に視聴することができる。また、ニュース番組（アナウンサーの話し声が中心であり急激な音量変化はない）からＣＭに切り替わった際に、ダイナミックレンジが急激に拡大することを防止することができる。
【００５６】
＜実施例４＞
次に、平均入力レベル、及び、時刻に基づいてゲインコントロールユニット１４の入出力特性を制御する実施例について、図５を参照して説明する。図５は、ゲインコントロールユニット１４の入出力特性を示したグラフである。
【００５７】
平均入力レベルが予め定められた基準レベルよりも小さい場合、マイコン１３は、夜間、ゲインコントロールユニット１４の入出力特性を図５（ａ）に実線で示すように設定し、昼間、ゲインコントロールユニット１４の入出力特性を図５（ａ）に点線で示すように設定する。ここで、昼間とは、現在時刻が昼間として予め設定された時間帯（例えば８時から２０時）に属していることを指し、夜間とは、現在時刻が夜間として予め設定された時間帯（例えば２０時から翌８時）に属していることを指す。このように、第１のゲインを用いるか第２のゲインを用いるかの分水嶺となる閾値について、夜間における閾値を昼間における閾値よりも小さく設定することで、夜間の静かな環境に適合した入出力特性が得られる。
【００５８】
平均入力レベルが予め定められた基準レベルよりも小さい場合、マイコン１３は、夜間、ゲインコントロールユニット１４の入出力特性を図５（ａ）に実線で示すように設定し、昼間、ゲインコントロールユニット１４の入出力特性を図５（ａ）に点線で示すように設定する。
【００５９】
一方、平均入力レベルが予め定められた基準レベルよりも大きい場合、マイコン１３は、夜間、ゲインコントロールユニット１４の入出力特性を図５（ｂ）に実線で示すように設定し、昼間、ゲインコントロールユニット１４の入出力特性を図５（ｂ）に点線で示すように設定する。
【００６０】
ここで、昼間とは、現在時刻が昼間として予め設定された時間帯（例えば８時から２０時）に属していることを指し、夜間とは、現在時刻が夜間として予め設定された時間帯（例えば２０時から翌８時）に属していることを指す。
【００６１】
すなわち、入力スイッチ１１から供給される音声信号の信号レベルが閾値よりも小さいときのゲインである第１のゲインは、平均入力レベルが基準レベルよりも大きい場合に０ｄＢよりも小さく設定され、平均入力レベルが基準レベルよりも小さい場合に０ｄＢよりも大きく設定される。また、第１のゲインを用いるか第２のゲインを用いるかの分水嶺となる閾値については、夜間における閾値が昼間における閾値よりも小さくなるように設定される。
【００６２】
したがって、入力ソースの切り替えに伴う出力レベルの変動を同時に緩和しつつ、時刻に応じた入出力特性が得られる。
【００６３】
なお、ここでは、平均入力レベルと時刻との組み合わせを用いて入出力特性を設定する構成について説明したが、これに限定されるものではない。例えば、平均入力レベルと時刻との組み合わせの代わりに、入力レベルのばらつきと時刻との組み合わせを用いて入力出力特性を設定する構成を採用してもよい。
【００６４】
（プログラムおよび記録媒体）
音声信号処理装置１は、ハードウェアロジックによって構成すればよい。又は、次のように、ＣＰＵ（Central Processing Unit）を用いてソフトウェアによって実現してもよい。
【００６５】
すなわち、音声信号処理装置１は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００６６】
そして、本発明の目的は、音声信号処理装置１のプログラムメモリに固定的に担持されている場合に限らず、上記プログラムのプログラムコード（実行形式プログラム、中間コードプログラム、又は、ソースプログラム）を記録した記録媒体を音声信号処理装置１に供給し、音声信号処理装置１が上記記録媒体に記録されている上記プログラムコードを読み出して実行することによっても、達成可能である。
【００６７】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６８】
また、音声信号処理装置１を通信ネットワークと接続可能に構成しても、本発明の目的を達成できる。この場合、上記のプログラムコードを、通信ネットワークを介して音声信号処理装置１に供給する。この通信ネットワークは音声信号処理装置１にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００６９】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７０】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７１】
本発明に係る音声信号処理装置は、テレビに好適に適用することができる。
【符号の説明】
【００７２】
１        音声信号処理装置
１１      入力スイッチ
１２      入力レベル検出部（検出手段）
１３      マイコン（設定手段）
１４      ゲインコントロールユニット（増減手段）
１５      音質制御部
１６      音量制御部
１７      アンプ
１８      スピーカ
２１      アナログチャンネル音声信号
２２      デジタルチャンネル音声信号
２３      外部入力音声信号
２４      ＨＤＭＩ音声信号
２５      その他入力音声信号
【図１】
2011135218.tif 000003
【図２】
2011135218.tif 000004
【図３】
2011135218.tif 000005
【図４】
2011135218.tif 000006
【図５】
2011135218.tif 000007